(57)【特許請求の範囲】
【請求項１】
上方を開口して化粧料を収納するための容器本体と、前記容器本体に装着される中蓋と、当該中蓋が装着された状態の容器本体を密閉するための密閉蓋とを備え、
前記中蓋は、上下方向を軸とした扁平な中空筒状の枠体の上端側あるいは下端側の一方に伸縮性を有する化粧料透過性を有する繊維シートが張設されてなり、前記枠体が前記容器本体に対して嵌め合い状態で装着されているともに、当該枠体の下端が前記容器本体の底面と離間し、
前記繊維シートは、周縁が前記枠体の上下一方の端面から当該枠体の内周面に渡って接着されているとともに、前記容器本体の開口領域にわたって張設されており、
前記密閉蓋は裏面に下方に突出して周回する壁部を備え、前記容器本体の上端面には当該壁部が圧入される溝状の凹部が形成され、前記壁部が当該凹部に圧入状態で係合すると、前記凹部の内周側面が開口側に付勢されることで、当該溝の内周側に装着されている前記中蓋の枠体と前記容器本体との嵌め合い状態が補強される 
ことを特徴とする中蓋を備えた密閉型化粧料容器。
【請求項２】
請求項１において、前記容器本体の前記枠体の外周面と接する面は、当該枠体が容器本体に装着された状態で外方に向かって付勢されることで、前記溝状の凹部と前記壁部との密着状態が補強されることを特徴とする中蓋を備えた密閉型化粧料容器。
【請求項３】
請求項１または２において、前記容器本体は、内面に前記枠体の下端を支持する座が形成され、前記中蓋は、前記枠体の下端が前記座によって支持されつつ外周面が前記容器本体の内面に密着した状態で装着されることを特徴とする中蓋を備えた密閉型化粧料容器。
【請求項４】
請求項１または２において、前記容器本体は、上端面に開口を周回する溝が形成され、前記中蓋は、前記枠体の下端側が当該溝に挿入されることで前記容器本体に装着されることを特徴とする中蓋を備えた密閉型化粧料容器。
【請求項５】
請求項４において、前記中蓋の枠体は、上端側に内方に突出して周回する縁部を備え、前記繊維シートは、周縁が前記縁部から内周面を経て下端に渡って接着されていることを特徴とする中蓋を備えた密閉型化粧料容器。
【請求項６】
請求項１〜５のいずれかにおいて、前記密閉蓋は前記容器本体に係合しつつ当該容器本体の開口を気密状態で密閉することを特徴とする中蓋を備えた密閉型化粧料容器。
【請求項７】
請求項１〜６のいずれかにおいて、前記容器本体が外装体ケース内に着脱自在に収納されることを特徴とする中蓋を備えた密閉型化粧料容器。
【請求項８】
請求項７において、前記密閉蓋は、前記外装体ケースの開口を覆う外蓋の裏面に設けられて、前記外蓋が閉じられると当該外蓋の裏面が前記容器本体の開口を気密状態で封止することを特徴とする中蓋を備えた密閉型化粧料容器。
【請求項９】
請求項１〜８の何れかにおいて、前記繊維シートがネット構造からなることを特徴とする中蓋を備えた密閉型化粧料容器。
【請求項１０】
請求項１〜９の何れかにおいて、前記繊維シートが繊維の織成または編組により形成され、前記容器本体内に収納される化粧料が低粘度の流動性を有する化粧料であることを特徴とする中蓋を備えた密閉型化粧料容器。
【発明の詳細な説明】
【技術分野】
【０００１】
本発明は低粘度で流動性を有する化粧料を密閉状態で収納するのに好適な化粧料容器に関する。
【背景技術】
【０００２】
化粧料容器として、下方を底として上方を開口して化粧料を収納する容器本体と、伸縮性のネットが張設されて容器本体の上端側に装着される中蓋とを備えた化粧料容器（以下、ネット付き容器とも言う）がある。当該ネット付き容器は、パフなどによってネットを下方に押圧すると容器本体に収納されている化粧料がネットの上面に透過するようになっており、利用者はその透過した化粧料をパフなどに写し取って使用に供する。なおこのようなネット付き容器については例えば以下の特許文献１〜４などに記載されている。
【先行技術文献】
【特許文献】
【０００３】
【特許文献１】特開２００５―２２４３９８号公報
【特許文献２】特開２００８―１９４１９０号公報
【特許文献３】実開平７−４３５７５号公報
【特許文献４】特開平９−１９１９３０号公報
【発明の概要】
【発明が解決しようとする課題】
【０００４】
上記特許文献１〜３などに記載されている従来のネット付き容器に用いられる中蓋は、環状の枠体の底部が縁を残して開口し、その縁でネットが保持されている。そして中蓋は底部の外周が容器本体における化粧料の収納領域空間の内面に密着するように容器本体の開口端側に装着される。すなわち中蓋の底の縁が化粧料の収納空間の内方に張り出すように装着される。そのため化粧料の粘性が高い場合などでは、ネットを介して化粧料を収納空間から取り出す際、中蓋底部の縁の下方にある化粧料をネットを介して取り出すことが難しくなり、化粧料を無駄なく使用することができなくなる。化粧料の粘性が低い場合でも、容器本体を傾けるなどしてネットが架け渡されている中蓋の底の中央部に化粧料を寄せる必要があり化粧に際しての作業性が悪い。底部全面にネットを架け渡すことも考えられるが、この場合はネットと中蓋との接触面積が不足し、ネットを押圧したときにネットが脱落する可能性がある。なお特許文献４に記載のネット付き容器では縁の下方に化粧料の収納空間を設けず、実質的にネットの下方のみを化粧料の収納空間としているが、肉厚の枠体にネットを張設した中蓋を備え、枠体の下端を容器本体の底面に当接させて中蓋の内方を化粧料の収納空間としている。すなわち容器本体本来の化粧料収納空間を犠牲にしている。言い換えれば、化粧料の収納量が同じであれば容器が大きくなる。また枠体の下端が容器本体の底面に当接しているため、収納する化粧料の粘度が低い場合では、容器本体の内面と枠体の下端面や外周面とが接触する界面を伝わって化粧料が容器本体外に漏出する可能性もある。
【０００５】
ところで化粧料容器には「レフィル容器」と呼ばれるものがある。このレフィル容器は、外装体となる容器（以下、ケース）内に装着された状態で利用され、レフィル容器内の化粧料が無くなった場合は、そのレフィル容器をケースから取り外し、化粧料が充填された新品のレフィル容器に買い換えて、再度ケース内に装着して再度利用に供する。そしてケースは外蓋の裏面がミラーになっている「コンパクトケース」である場合が多く、そのコンパクトケース自体が携行可能な小型で薄いものであることから、レフィル容器がネット付き容器である場合には、化粧料の収納容積が自ずと小さくなり、より無駄なく化粧料を利用できるようにすることが求められる。そしてネット付き容器ではネットが通気性を有していることから、基本的に密閉構造を持たないケース内にネット付き容器を収納する場合には化粧料が乾燥しないように容器本体の開口を気密状態で封止する構造を備えている必要がある。またレフィル容器では容器本体の内面と中蓋の外周面との接触界面からの化粧量の漏出防止がより強く求められる。すなわち新品のレフィル容器を開封した時点ですでに容器本体の縁やネットの上面に化粧料が付着しているという事態になれば、新品の状態ですでに美観が損なわれていることになり利用者に不快感を与えかねない。
【０００６】
そこで本発明は、化粧料が無駄なく利用できるとともに意図しない化粧料の漏出を防止し、小型化が容易でレフィル容器にも適した密閉可能な中蓋を備えた密閉型化粧料容器を提供することを目的としている。
【課題を解決するための手段】
【０００７】
上記目的を達成するための本発明は、上方を開口して化粧料を収納するための容器本体と、前記容器本体に装着される中蓋と、当該中蓋が装着された状態の容器本体を密閉するための密閉蓋とを備え、
前記中蓋は、上下方向を軸とした扁平な中空筒状の枠体の上端側あるいは下端側の一方に伸縮性を有する化粧料透過性を有する繊維シートが張設されてなり、前記枠体が前記容器本体に対して嵌め合い状態で装着されているともに、当該枠体の下端が前記容器本体の底面と離間し、
前記繊維シートは、周縁が前記枠体の上下一方の端面から当該枠体の内周面に渡って接着されているとともに、前記容器本体の開口領域にわたって張設されている、
ことを特徴とする中蓋を備えた密閉型化粧料容器としている。
【０００８】
また前記容器本体は、内面に前記枠体の下端を支持する座が形成され、前記中蓋は、前記枠体の下端が前記座によって支持されつつ外周面が前記容器本体の内面に密着した状態で装着されることを特徴とする中蓋を備えた密閉型化粧料容器とすることができる。
【０００９】
あるいは前記容器本体は、上端面に開口を周回する溝が形成され、前記中蓋は、前記枠体の下端側が当該溝に挿入されることで前記容器本体に装着されることを特徴とする中蓋を備えた密閉型化粧料容器とすることができる。そして前記中蓋の枠体は、上端側に内方に突出して周回する縁部を備え、前記繊維シートは、周縁が前記縁部から内周面を経て下端に渡って接着されていることを特徴とする中蓋を備えた密閉型化粧料容器とすればより好ましい。
【００１０】
前記密閉蓋は前記容器本体に係合しつつ当該容器本体の開口を気密状態で密閉することを特徴とする中蓋を備えた密閉型化粧料容器とすることができる。前記密閉蓋は裏面に下方に突出して周回する壁部を備え、前記容器本体の上端面には当該壁部が圧入される溝状の凹部が形成され、前記壁部が当該凹部に圧入状態で係合すると、前記溝の内周側面が開口側に付勢されることで、当該溝の内周側に装着されている前記中蓋の枠体と前記容器本体との嵌め合い状態が補強されることを特徴とする中蓋を備えた密閉型化粧料容器とすることができ、前記容器本体の前記枠体の外周面と接する面は、当該枠体が容器本体に装着された状態で外方に向かって付勢されることで、前記溝状の凹部と前記壁部との密着状態が補強されることを特徴とする中蓋を備えた密閉型化粧料容器とすればより好ましい。
【００１１】
外装体ケース内に着脱自在に収納されることを特徴とする中蓋を備えた密閉型化粧料容器としてもよい。そして前記密閉蓋は、前記外装体ケースの開口を覆う外蓋の裏面に設けられて、前記外蓋が閉じられると当該外蓋の裏面が前記容器本体の開口を気密状態で封止することを特徴とする中蓋を備えた化粧料容器とすることもできる。
前記繊維シートはネット構造でもよいし、容器本体内に収納される化粧料が低粘度の流動性を有する化粧料である場合には、前記繊維シートとして繊維の織成または編組により形成された繊維シートを用いる。
【発明の効果】
【００１２】
本発明の中蓋を備えた密閉型化粧料容器によれば、化粧料の収納空間を犠牲にすることなく化粧料を無駄なく使用できるとともに、化粧料の収納空間を密閉して化粧料の揮発や乾燥を防止することができる。また意図しない化粧料の漏出を防止することもできる。なおその他の効果については以下の記載で明らかにする。
【図面の簡単な説明】
【００１３】
【図１】本発明の第１の実施例に係るネット付き化粧料容器を備えたコンパクト型容器の分解図である。
【図２】上記コンパクト型容器を組み立てた状態を示す図である。
【図３】上記第１の実施例を構成する中蓋の構造と当該実施例における中蓋の装着状態を示す図である。
【図４】本発明の第２の実施例に係るネット付き容器の構造を示す図である。
【図５】第１の実施例に係るネット付き容器の変形例を示す図である。
【図６】本発明のその他の実施例に係るネット付き容器が備える中蓋の構造を示す図である。
【発明を実施するための形態】
【００１４】
本発明の実施例について、以下に添付図面を参照しつつ説明する。なお以下の説明に用いた図面において、同一または類似の部分に同一の符号を付して重複する説明を省略することがある。ある図面において符号を付した部分について、不要であれば他の図面ではその部分に符号を付さない場合もある。
【００１５】
＝＝＝第１の実施例＝＝＝
本発明の第１の実施例に係る化粧料容器としてコンパクトケース内に着脱自在に装着されるレフィル容器を挙げる。図１は第１の実施例に係るネット付き容器（以下、レフィル容器１ａ）を備えたコンパクト型容器１０の全体を示す分解斜視図である。ここに示したコンパクト型容器１０は、コンパクトケース１００とレフィル容器１ａとから構成され、当該レフィル容器１ａが本発明の第１の実施例となる。コンパクトケース１００はレフィル容器１ａが装着される扁平な丸箱状のレフィル収納部１１０と、扁平な丸箱状で当該レフィル収納部１１０の開口１１１をヒンジ（図示せず）を介して開閉可能に覆う外蓋１２０とから構成され、外蓋１２０の内側底面１２１にはミラー１２５が設けられている。レフィル容器１ａはレフィル収納部１１０の内方に装着される扁平な丸箱状で化粧料が収納される容器本体２ａと、当該容器本体２ａの開口２０をヒンジ４を介して開閉可能に覆いつつ、その開口２０を気密状態で封止する円板状の蓋体（以下、密閉蓋３）と、容器本体２ａの開口２０に装着される中蓋５ａとを備えている。そして中蓋５ａは円環状の枠体（以下、中蓋枠５０）の内方にメッシュ素材を用いたネット５１が張設された構造を有している。
この実施例では枠体５０に取り付けられるものとしてネット５１が示されているが、ネットの代わりに低粘度で流動性を有する化粧料を透過させることが可能な、編組されたまたは織成された繊維シートを使用することができる。この繊維シートが用いられるときに使用される化粧料の好適な粘度は２，０００ｃＰ〜６０，０００ｃｐの範囲で、より好ましくは２，０００ｃＰ〜３０，０００ｃＰの範囲である。
【００１６】
ここでコンパクトケース１００における扁平丸箱状のレフィル収容部１１０、およびレフィル容器１ａの容器本体２ａや中蓋５ａの円形平面に対する法線２００の方向を上下方向とし、レフィル容器１ａが上方からレフィル収容部１１０内に装着されることとして上下の各方向を規定する。また外蓋１２０や密閉蓋３については、閉状態にあるときに外方を向く面をおもて面（１２２，３１）とし、レフィル収納部１１０や容器本体２ａの開口（１１１，２０）に対面する面を裏面（１２１，３０）として規定する。
【００１７】
上記の上下および表裏の規定に基づけば、コンパクトケース１００のレフィル収納部１１０は、肉厚の円形枠（以下、レフィル収納枠１１２）の上端側に開口１１１を有し、下端が閉鎖されて底面１１３が形成されている。外蓋１２０には薄肉の円形枠（以下、外蓋枠１２３）のおもて面１２２側が閉鎖されて裏面１２１にミラー１２５が取り付けられている。また外蓋枠１２３の内周面１２４にはレフィル収納枠１１２の上端面１１４に形成された突起１１５との係合構造（図示せず）を備え、外蓋１２０を閉じるとその係合構造によってコンパクトケース１００が閉状態に維持される。なおレフィル収納枠１１２の外周面１１６において、上記突起１１５の形成位置に対応する位置には外蓋１２０との係合を解除するためのボタン１１７が当該外周面１１６と面一となるように取り付けられている。またレフィル収納枠１１２の上端面１１４にはレフィル容器１ａを装着した際に当該レフィル容器１ａのヒンジ４が収納される凹部１１８も形成されている。
【００１８】
レフィル容器１ａを構成する容器本体２ａと密閉蓋３は射出成型された樹脂からなり、容器本体２ａにおける円形の枠体部分（以下、本体枠２１)の上端面２２には開口２０と同心の溝(以下、密閉溝２３）が形成され、密閉蓋３の裏面３０にはその密閉溝２３に係合する突起３２が周壁状に形成されている。なお当該突起(以下、密閉壁部３２)の基端側は密閉溝２３の開口幅よりも大きくなっており、密閉蓋３を閉じると密閉溝２３の内面と密閉壁部３２の外面とが密着して容器本体２ａ内が気密状態で封止されるようになっている。また円板状の密閉蓋３の裏面３０で当該密閉蓋３のほぼ最外周側には、容器本体２ａの本体枠２１の外周面２４に形成された凹部（以下、係合凹部２５）に係合する構造として、密閉壁部３２と同心円を描く周壁の一部からなる突起（以下、係合壁部３３）が等角度間隔となるように３カ所に形成されている。さらに密閉蓋３においてヒンジ４に対して反対側にある縁には当該密閉蓋３を開ける際に指を掛ける舌片３４が形成されている。
【００１９】
図２はコンパクトケース１００にレフィル容器１ａを収納した状態を示しており、図２（Ａ）は外蓋１２０と密閉蓋３がともに開状態にあるときの図であり、図２（Ｂ）は外蓋１２０を密閉蓋３とともに閉じたときの状態を示している。図２（Ａ）に示したように外蓋１２０と密閉蓋３は互いの開閉方向が交差しており、双方の蓋（１２０，３）を互いに接触させずに開状態で維持することができるようになっている。この例では外蓋１２０と密閉蓋３の開閉方向が直交しており、以下では密閉蓋３のヒンジ４の回転軸２１０の方向を前後方向とする。すなわち外蓋１２０のヒンジ（図示せず）の回転軸方向が左右方向となる。また密閉蓋３のヒンジ４が左方にあり、外蓋１２０のヒンジが後方にあるものとして、図中に示したように上下の各方向に加え、左右および前後の各方向も規定することとする。そして図２（Ｂ）に示したように外蓋１２０を閉じると、外蓋枠１２３とレフィル収納枠１１２の外周面同士（１２５−１１６）がほぼ面一となり扁平な円筒状の外観形状となる。
【００２０】
＜レフィル容器の構造＞
図３に第１の実施例に係るレフィル容器の構造を示した。図３（Ａ）は中蓋５ａを下方から見たときの斜視図であり、図３（Ｂ）は中蓋５ａを上下方向を含む面で切断したときの縦断面図である。そして図３（Ｃ）はレフィル容器１ａの縦断面図であり、ここではレフィル容器１ａをヒンジ４を含みつつ紙面奥行き方向に延長する当該ヒンジ４の回転軸２１０の方向から見たときの縦断面を示した。図３（Ａ）と（Ｂ）に示したように、中蓋５ａは中蓋枠５０の下端面５２にネット５１を接着することで張設した構造を基本としているが、ネット５１は中蓋枠５０の下端面５２のみに接着されているのではなく、「上げ底」状となるように、周縁部分が中蓋枠５０の下端面５２から内周面５３に渡って接着されている。このように第１の実施例に係るレフィル容器１ａでは、中蓋枠５０とネット５１との接着面積が大きく十分な接着強度を有しているとともに、中蓋枠５０の内方にネット５１を張設するための縁部が無く、中蓋枠５０の全開口領域を覆うようにネット５１が張設されている。なお中蓋５ａの製造方法としては、射出成型済みの中蓋枠５０にネット５１となるメッシュ素材を接着したのち、メッシュ素材を中蓋枠５０の外周に沿って裁断する方法もあるが、この例では金型を用いて中蓋枠５０を射出成形する際、その金型内にメッシュ素材を架け渡しておくことで、メッシュ素材が接着された状態で中蓋枠５０が完成させている。それによってネット５１と中蓋枠５０との接着領域では中蓋枠５０を構成する樹脂素材がメッシュ素材の目の中に浸潤した状態で固化しており、中蓋枠５０とネット５１とがより強い強度で接着されている。
【００２１】
図３（Ｃ）に示したように、閉状態にある容器本体２ａは密閉蓋３の裏面にある密閉壁部３２が容器本体２ａの上端面２２に形成されている密閉溝２３に圧入されて当該密閉溝２３の内方にある開口が気密状態で封止されている。また係合壁部３３の内面側に形成された突起３５が容器本体２ａの係合凹部２５と係合して閉状態が維持されている。中蓋５ａは本体枠２１の内側に嵌め合い状態で挿入されており、中蓋５ａの外周面５４が容器本体２ａの内周面２６に密着している。具体的には、本体枠２１の内方は下方が縮径する扁平な２段円筒状で、当該本体枠２１における上段の円筒領域２１ｕと下段の円筒領域２１ｄの段差２７の上面２８が中蓋５ａの下端面５２を下支えする「座」となっている。そして中蓋５ａが容器本体２ａ内に挿入された状態では中蓋枠５０の外周面５４と本体枠２１における上段の円筒領域２１ｕの内周面２６ｕとが密着し、中蓋枠５０の内周面５３と下段の円筒内周面２６ｄとが面一となる。したがって容器本体２ａ内に化粧料１３０を収納すると、ネット５１の下面５５において中蓋枠５０の内方にある全領域が化粧料１３０の上面１３１の全領域と対面することになり、ネット５１を下方に押圧すれば容器本体２ａ内の内周面２６側にある化粧料１３０にもネット５１の下面５５が接触して化粧料１３０を効率よく取り出せる。すなわち化粧料１３０を無駄なく最後まで使用することできる。そしてネット５１の周縁は中蓋枠５０の下端面５２から内周面５３までの広い面積に渡って接着されており、ネット５１を下方に深く押し下げても十分な接着強度を有してネット５１が中蓋枠５０から脱落することがない。さらに第１の実施例に係るレフィル容器１ａでは、容器本体２ａの底面２９から上記段差２７までを化粧料１３０の収納空間とすれば、化粧料１３０の上面１３１が必ず中蓋枠５０の下端面５２より下方に位置することになり、化粧料充填時には上記段差２７よりも上方に化粧料１３０が付着することがない。すなわち中蓋枠５０の外周面５４と容器本体２ａの上段側の中空円筒領域２１ｕの内周面２６ｕとの接触界面を介して化粧料１３０が容器本体２ａの上端側から漏出することがない。もちろん化粧料１３０をネット５１を介して取り出していく過程では、化粧料１３０は漸次減少して上面１３１の位置が中蓋枠５０の下端面５２に対してさらに下方に下がっていくので、レフィル容器１ａの使用継続中に化粧料１３０が漏出する可能性も少ない。なお第１の実施例に係るレフィル容器１ａでは、中蓋枠５０の上端面５６がネット５１の上面５７よりも上方にある。そのため密閉蓋３を閉じても密閉蓋３の裏面３０がネット５１に接触することがなく、化粧料１３０を取り出す際にネット５１の上面５７側に付着した化粧料１３０が密閉蓋３の裏面３０に付着せず、化粧料１３０の使用に際して当該裏面３０が衣服や手指などに触れて使用者が意図しない箇所に化粧料１３０が付着することがない。
【００２２】
＝＝＝第２の実施例＝＝＝
上記第１の実施例では、容器本体内の段差の位置まで化粧料を充填することとすれば、容器本体の内面と中蓋枠の外周面との間から化粧料が漏出することを防止することができた。しかしこの場合、段差からネットの下面までの容積を化粧料の収納空間として利用することができなかった。そこで第２の実施例として化粧料の漏出を防止しつつ、ネットの下面はもちろん、中蓋枠の上端近辺まで化粧料を充填できるレフィル容器を挙げる。
【００２３】
図４に第２の実施例に係るレフィル容器を示した。図４（Ａ）は第２の実施例におけるレフィル容器が備える中蓋５ｂの縦断面図であり、図４（Ｂ）は容器本体２ｂのヒンジ４を含む縦断面図である。そして図４（Ｃ）は閉状態にあるレフィル容器１ｂにおけるヒンジ４を含む縦断面図である。図４（Ａ）に示したように、中蓋５ｂには中蓋枠５０の上端面５６に内方に張り出した縁部６０が形成されており、ネット５１の縁部は中蓋枠５０の下端面５２から内周面５３に連続しつつ縁部６０の下面６１にわたって接着されている。すなわち図中に示した内径φ１の領域を実質的な開口としている。また図４（Ｂ）に示したように、容器本体２ｂの本体枠２１の上端面２２には密閉溝２３と同心円状の溝状の凹部（以下、係合溝６２）が密閉溝２３の内側に形成され、この係合溝６２の内側に内径φ２の開口２０が形成されている。そして図４（Ｃ）に示したように係合溝６２内に中蓋枠５０の下端面５２側が挿入されている。さらに中蓋枠５０の縁部６０の下面６１が容器本体２ｂの上端面２２において係合溝６２に対して内周側の上端面６３に当接し、縁部６０の内径φ１が容器本体２ｂの上端面２２の内径φ２に一致している。
【００２４】
このように第２の実施例に係るレフィル容器１ｂでは容器本体２ｂの係合溝６２に中蓋枠５０を挿入しており容器本体２ｂの内周面２６に中蓋枠５０の内周面５３が露出することがない。したがって化粧料１３０の上面１３１がネット５１の下面５５よりも下方であれば、容器本体２ｂの内容積のほぼ全量を化粧料１３０の充填領域にすることができるとともに、中蓋枠５０の外周面５４と容器本体２ｂの内周面２６との接触界面からの化粧料の漏出が原理的に発生しない。なお第２の実施例に係るレフィル容器１ｂにおいても中蓋枠５０の上端面５６がネット５１の上面５７よりも上方にあり、意図しない化粧料の付着を防止することができる。
【００２５】
＝＝＝その他の実施例＝＝＝
第１の実施例では容器本体内の段差を中蓋を下支えする座としていたが、上下方向に延長するリブを容器本体内のない周面の複数箇所に形成して、そのリブの上端を座としてもよい。あるいは容器本体内に内方に向かって突出する庇状の突起を形成し、その突起を座とすることもできる。
【００２６】
第１および第２の実施例では密閉蓋が下面に形成された密閉壁部が本体枠の上端面に形成された密閉溝に係合することで容器本体の開口が気密状態で封止される構造となっていた。そしてこの封止構造による容器本体内の密閉状態を補強するために、当該中蓋枠が容器本体に装着された状態で中蓋枠の外周面と接する面が外方に向かって付勢されるようにしてもよい。それによって係合溝と密閉壁部との密着状態がより補強される。なお第１の実施例においては中蓋枠の外径を容器本体の上段側の内面の内径よりも大きくすることが考えられる。第２の実施例においては中蓋枠の外径を係合溝の外周側の壁面の内径よりも大きくすればよい。
【００２７】
第１および第２の実施例において中蓋は容器本体に嵌入することで装着していたが、使用中における中蓋の脱落を防止するように容器本体と中蓋枠との間に係合構造を設けてもよい。図５に中蓋と容器本体との係合構造を示した。図５（Ａ）と（Ｂ）は、それぞれ中蓋５ｃと容器本体２ｃの縦断面図であり、図５（Ｃ）は閉状態にあるレフィル容器１ｃの縦断面図である。この図５に示したレフィル容器１ｃは、第１の実施例の変形例であり、図５（Ａ）に示したように中蓋５ｃは、中蓋枠５０の外周面５４に周回する突起７０が形成され、図５（Ｂ）に示したように容器本体２ｃの内周面２６において、中蓋５ｃの外周面５４に対面する上段の円筒領域２１ｕの内周面２６ｕに上記突起７０に係合する溝７１が形成されている。そして図５（Ｃ）に示したように、閉状態においては中蓋枠５０の突起７０と容器本体２ｃの内周面２６の溝７１とが係合して中蓋５ｃが容易に外れないようになっている。もちろん突起と溝の関係が逆転していてもよい。第２の実施例においても係合溝の外径側内周面と内蓋枠の外周面との間に同様の係合構造を設けることもできる。
【００２８】
レフィル容器では容器本体内の化粧料がなくなれば新品と交換するため、基本的には使用期間を通じて中蓋を取り外す必要性はないが、中蓋を取り外す可能性はゼロではない。
しかし中蓋は、不用意に脱落しないように、また容器本体との接触界面から化粧料が漏出しないように嵌め合い状態で装着されているため、容易に取り外すことができない。とくに枠体の上端面が容器本体の開口周縁から突出していない場合は手指を掛けることもできない。そこで図６に示した中蓋５ｄのように中蓋枠５０の上端側の内周面５３に内方に突出する舌片（タブ８０）を設けてもよい。
【００２９】
あるいは中蓋枠を弾性変形可能な軟質素材で形成するとともに、中蓋枠が容器本体に装着された状態では当該中蓋枠の上端面が容器本体の開口周縁よりも上方に突出するように構成しておいてもよい。それによってその突出した部分を中蓋枠の直径の両端側から挟んで互いに内方に付勢するように押圧すれば中蓋枠を変形させることができ、中蓋を容易に取り出せることができる。
【００３０】
容器本体の密閉構造は上記実施例に限らず、例えば容器本体の上端面にＯリングからなるパッキンを配設し、密閉蓋を閉じたときに当該密閉蓋の裏面がＯリングの上端面と密着して容器本体内が密閉されるようにしてもよい。また密閉蓋を容器本体に付属させず、外蓋の裏面に密閉壁部などを設け、外蓋を密閉蓋として機能させてもよい。
【００３１】
上記各実施例では、ネットの周縁が枠体の下端から内面に連続して接着されており、上方からみると枠内の張設された領域のみが視認されて美観にも優れていた。もちろん枠体を容器本体に嵌着させることができるのであれば、枠体の天地が逆であってもよい。そして枠体の天地を逆にしてもネットの周縁は枠体の上端面から内面に連続して接着されることになり、枠体の上端がネットの張設面よりも上方に突出することになり、密着蓋の裏面がネットの張設面に接触せず、当該裏面に化粧料が付着し難い。すなわち手指や着衣への意図しない化粧料の付着を防止することができる。
【００３２】
中蓋枠を矩形枠状とするなど、中蓋枠は円形環状である必要はない。そして容器本体において中蓋が装着される領域の内面形状が中蓋枠の外周形状に一致してればよい。また密閉蓋と容器本体はヒンジを介して接続されていたが、別体で構成されていてもよい。なお本発明の実施例に係るネット付き容器としてレフィル容器を挙げていたが、容器本体の開口が気密状態で封止される形態であれば、ネット付き中蓋を備えた密閉型化粧容器の用途や形状は特に限定されない。外装体ケースが不要の形態であってもよい。
【符号の説明】
【００３３】
１ａ，１ｂ，１ｃ  ネット付き容器（レフィル容器）、２ａ，２ｂ，２ｃ  容器本体、
３  密閉蓋、５ａ，５ｂ，５ｃ，５ｄ  中蓋、  ２１  容器本体の枠体（本体枠）、
２３  密閉溝、２６，２６ｄ，２６ｕ  容器本体の内周面、３２  密閉壁部、
５０  中蓋枠、５１  ネット、５３  中蓋枠の内面、５２  中蓋枠の下端、
５３  中蓋枠の内面、５５  ネットの下面、５６  中蓋枠の上端、５７  ネットの上面、６０  中蓋枠の縁部、６２  係合溝、７０  中蓋枠外周面の突起、
７１  容器本体内面の溝、８０  中蓋枠のタブ、
１００  外装体ケース（コンパクトケース）、１１０  レフィル収納部、
１２０  外蓋、１３０  化粧料、１３１  化粧料の上面
【図１】
0006784395.tif 000002
【図２】
0006784395.tif 000003
【図３】
0006784395.tif 000004
【図４】
0006784395.tif 000005
【図５】
0006784395.tif 000006
【図６】
0006784395.tif 000007